(57)【特許請求の範囲】
【請求項１】
溶媒を収容する容器本体と、
前記容器本体の上端に形成された開口部を覆う蓋体と、を備えたボトルであって、
前記蓋体から離間して位置する前記容器本体の内部に、ボトルを振った際に当該容器本体の内部で溶媒を流通させる複数の貫通孔が形成された孔形成体を備え、
前記孔形成体は、筒状体であり、側壁に複数の貫通孔が形成されており、
さらに、前記容器本体の開口部付近から当該容器本体の内部に延びるチューブを備えており、当該チューブが前記孔形成体である筒状体の内部に挿通されるよう当該孔形成体が配置されている、
ボトル。
【請求項２】
請求項１に記載のボトルであって、
前記孔形成体は、外径が異なる複数の筒状体が連結して構成されており、少なくとも１つの筒状体の側壁に貫通孔が形成されている、
ボトル。
【請求項３】
請求項２に記載のボトルであって、
前記孔形成体は、少なくとも１つの筒状体の側壁に貫通孔が形成されておらず、その外周に突出部が形成されている、
ボトル。
【請求項４】
溶媒を収容する容器本体と、
前記容器本体の上端に形成された開口部を覆う蓋体と、を備えたボトルであって、
前記蓋体から離間して位置する前記容器本体の内部に、ボトルを振った際に当該容器本体の内部で溶媒を流通させる複数の貫通孔が形成された孔形成体を備え、
前記孔形成体は、外径が異なる複数の筒状体が連結して構成されており、少なくとも１つの筒状体の側壁に貫通孔が形成され、少なくとも１つの筒状体の側壁に貫通孔が形成されておらず、その外周に突出部が形成されており、
さらに、前記孔形成体は、側壁に貫通孔が形成された筒状体の外径よりも、外周に突出部が形成された筒状体の外径の方が小さく形成されている、
ボトル。
【請求項５】
請求項４に記載のボトルであって、
前記孔形成体は、側壁に貫通孔が形成された筒状体と、外周に突出部が形成された筒状体と、が交互に連結して形成されている、
ボトル。
【請求項６】
請求項１乃至５のいずれかに記載のボトルであって、
前記孔形成体は、前記容器本体の開口部付近に装着されて設けられており、側壁に複数の貫通孔が形成されている部位が、前記蓋体から離間する前記容器本体の内部に位置している、
ボトル。
【請求項７】
請求項１乃至６のいずれかに記載のボトルであって、
前記孔形成体は、筒状体の長さ方向が前記容器本体の高さ方向に位置するよう配置されている、
ボトル。
【請求項８】
請求項１乃至７のいずれかに記載のボトルであって、
前記孔形成体は、帯状体であり、当該帯状体自体に複数の貫通孔が形成されている、
ボトル。
【請求項９】
請求項１乃至８のいずれかに記載のボトルであって、
前記容器本体の側壁に、収容される溶媒の量の目安となる目盛と、当該目盛に対応するボトルを振る回数を示す回数情報と、が表示されている、
ボトル。
【請求項１０】
請求項１乃至９のいずれかに記載のボトルであって、
前記孔形成体は、ボトルが振られることによって当該孔形成体に形成された貫通孔を溶媒が流通したときに、当該溶媒内で気体を粒径が１０００ｎｍ以下の気泡に微小気泡化させるよう構成されている、
ボトル。
【発明の詳細な説明】
【技術分野】
【０００１】
本発明は、微小気泡を生成するボトルに関する。
【背景技術】
【０００２】
ナノバブルは、水などの溶媒中に存在するナノサイズ（例えば、粒径１０００ｎｍ以下）の微小気泡であり、通常の気泡とは著しく異なった性質を有する。例えば、ナノバブルは、成長促進効果や抗酸化作用、殺菌作用など、人体に対しても優れた効果が期待されている。【０００３】
そして、上述したナノバブルの性質を利用して、様々な溶媒にナノバブルを含有させることも検討されている。例えば、化粧液や洗浄剤、薬剤、飲料物などを形成する溶媒に、酸素や水素など所定の気体のナノバブルを含有させることで、ナノバブルを人体に取り込むことができる。
【先行技術文献】
【特許文献】
【０００４】
【特許文献１】国際公開第２０１７／１４２０２４号
【発明の概要】
【発明が解決しようとする課題】
【０００５】
一方で、ナノバブルは、溶媒中に微小気泡として存在するものであるため、溶媒に対する溶存量が時間の経過に伴って低下しうる。このため、例えば、体内にナノバブルを取り込むことを目的とする場合であっても、ナノバブルの溶媒に対する溶存期間が短く溶存量が低下することにより、効率よく取り込むことが困難である、という問題が生じる。【０００６】
ここで、特許文献１には、容器内に混合対象物を収容し、ユーザが振ることで混合対象物を混合する混合容器が開示されている。かかる混合容器では、ボトルの蓋の内側に位置する内蓋に、高さ方向に貫通する多数の貫通孔が形成されている。これにより、容器をユーザが振ることで、容器内の混合対象物が不規則に移動して容器の内壁や内蓋に衝突したり、当該内蓋の貫通孔を通過したりすることで、混合・撹拌される。このとき、抹茶などの飲料を混合することで、泡立てることができることも記載されている。【０００７】
しかしながら、上述した混合容器では、内蓋に貫通孔が設けられているため、蓋側に混合対象物が移動する十分なスペースがなく、容器を振ったときに混合対象物を効率よく貫通孔に通過させることができず、十分に泡立たせることができない。このため、容器を振ることによって発生させた気泡のサイズが、マイクロサイズやナノサイズといった微小とはならず、上述したような様々な効果が期待できる微小気泡の溶存量が多い溶媒を得ることができない、という問題が生じる。【０００８】
また、容器がポンプ式の場合には、容器の上端部にポンプが装着されることとなるが、通常はポンプから容器内に延びるチューブが設けられるため、容器の上端部に位置する内蓋に上述したような貫通孔を設けることが難しい。このため、様々な構造の容器において微小気泡の溶存量が多い溶媒を得ることが難しい、という問題もある。【０００９】
以上により、本発明の目的は、上述した課題である、様々な構造のボトルにおいて、微小気泡の溶存量が多い溶媒を得ることが困難である、ということを解決することにある。
【課題を解決するための手段】
【００１０】
本発明の一形態であるボトルは、
溶媒を収容する容器本体と、
前記容器本体の上端に形成された開口部を覆う蓋体と、を備えたボトルであって、
前記蓋体から離間して位置する前記容器本体の内部に、ボトルを振った際に当該容器本体の内部で溶媒を流通させる複数の貫通孔が形成された孔形成体を備えた、
という構成を取る。【００１１】
また、上記ボトルでは、
前記孔形成体は、筒状体であり、側壁に複数の貫通孔が形成されている、
という構成を取る。【００１２】
また、上記ボトルでは、
前記孔形成体は、前記容器本体の開口部付近に装着されて設けられており、側壁に複数の貫通孔が形成されている部位が、前記蓋体から離間する前記容器本体の内部に位置している、
という構成を取る。【００１３】
また、上記ボトルでは、
前記孔形成体は、筒状体の長さ方向が前記容器本体の高さ方向に位置するよう配置されている、
という構成を取る。【００１４】
また、上記ボトルでは、
前記容器本体の開口部付近から当該容器本体の内部に延びるチューブを備えており、当該チューブが前記孔形成体である筒状体の内部に挿通されるよう当該孔形成体が配置されている、
という構成を取る。【００１５】
また、上記ボトルでは、
前記孔形成体は、外径が異なる複数の筒状体が連結して構成されており、少なくとも１つの筒状体の側壁に貫通孔が形成されている、
という構成を取る。【００１６】
また、上記ボトルでは、
前記孔形成体は、少なくとも１つの筒状体の側壁に貫通孔が形成されておらず、その外周に突出部が形成されている、
という構成を取る。【００１７】
また、上記ボトルでは、
前記孔形成体は、側壁に貫通孔が形成された筒状体の外径よりも、外周に突出部が形成された筒状体の外径の方が小さく形成されている、
という構成を取る。【００１８】
また、上記ボトルでは、
前記孔形成体は、側壁に貫通孔が形成された筒状体と、外周に突出部が形成された筒状体と、が交互に連結して形成されている、
という構成を取る。【００１９】
また、上記ボトルでは、
前記孔形成体は、帯状体であり、当該帯状体自体に複数の貫通孔が形成されている、
という構成を取る。【００２０】
また、上記ボトルでは、
前記容器本体の側壁に、収容される溶媒の量の目安となる目盛と、当該目盛に対応するボトルを振る回数を示す回数情報と、が表示されている、
という構成を取る。【００２１】
また、上記ボトルでは、
前記孔形成体は、ボトルが振られることによって当該孔形成体に形成された貫通孔を溶媒が流通したときに、当該溶媒内で気体を粒径が１０００ｎｍ以下の気泡に微小気泡化させるよう構成されている、
という構成を取る。
【発明の効果】
【００２２】
本発明は、以上のように構成されることにより、微小気泡の溶存量が多い溶媒を得ることができる。
【図面の簡単な説明】
【００２３】
【図１】本発明の第１の実施形態におけるボトルの構成を示す図である。
【図２】図１に開示したボトルの内部に装備される孔形成体の構成を示す図である。
【図３】本発明の第２の実施形態におけるボトルの構成を示す図である。
【図４】図３に開示したボトルの内部に装備される孔形成体の構成を示す図である。
【図５】図３に開示したボトルの内部に装備される孔形成体の他の構成を示す図である。
【図６】図３に開示したボトルの内部に装備される孔形成体の他の構成を示す図である。
【図７】本発明の第３の実施形態におけるボトルの構成を示す図である。
【図８】本発明の第４の実施形態におけるボトルの構成を示す図である。
【発明を実施するための形態】
【００２４】
＜実施形態１＞
本発明の第１の実施形態を、図１乃至図２を参照して説明する。図１は、ボトルの構成を示す図であり、図２は、ボトルの内部に装備される孔形成体の構成を示す図である。
【００２５】
本実施形態におけるボトルは、図１に示すように、略円筒形状であり高さ方向に長く延びて形成された容器本体１と、その上端に配置される蓋体２１，２２と、を備えて構成されている。蓋体２１，２２は、容器本体１内部に収容される液体を外部に吐出する吐出口２２と、当該吐出口２２を塞ぐキャップ２１を備えている。これら蓋体２１，２２により、容器本体１の上端に形成された開口部が覆われている。
【００２６】
本実施形態おいては、容器本体１には、溶媒としての液体と、当該液体に微小気泡化されて溶存することとなる気体と、が収容される。例えば、液体は化粧液であり、気体は空気である。なお、液体は、化粧液に限らず、いかなる物質でもよく、ゾルやゲルといった流動性のある物質でもよい。また、気体は、ボトルを密閉できる構成であれば、水素や酸素、オゾンなどのいかなる気体であってもよい。
【００２７】
また、本実施形態では、容器本体１の側壁は、透明に形成されている。ただし、容器本体１の側壁は、半透明であってもよく、不透明であってもよい。そして、容器本体１の内部には、図１に示すように、孔形成体３が設けられている。
【００２８】
上記孔形成体３は、全体として断面が円形の筒状体にて形成されている。つまり、上端と下端は開口して内部が空洞である円筒形状に形成されている。但し、孔形成体３は、断面が円形状であることに限定されず、断面がいかなる形状の筒状体であってもよい。そして、孔形成体３は、図１に示すように、筒状体の長さ方向が容器本体１の高さ方向に位置するよう配置される。
【００２９】
孔形成体３は、図２に示すように、円筒状の長さ方向において上端側には装着部３１が形成されており、下端側には孔形成部３２が形成されている。装着部３１は、図１に示すように、容器本体１の開口部付近に装着される。例えば、蓋体２１，２２を構成する吐出口２２の下端に連結するよう、装着部３１の周囲が容器本体１の開口部に装着される。これにより、孔形成体３の下端側に位置する孔形成部３２は、容器本体１の開口部、つまり、当該開口部を覆うよう設けられた蓋体２１，２２の位置から下方側に離間して、容器本体１の内部空間に位置することとなる。
【００３０】
なお、孔形成体３の装着部３１の側壁には、容器本体１の開口部よりも容器本体１内部側に、流入孔３１ａが形成されている。この流入孔３１ａは、ボトルを図１の状態から上下を逆さにしたとき、つまり、キャップ２１を取り外して吐出口２２を下に向けたときに、容器本体１内の液体を孔形成体３の筒内に流入させ、かかる液体を吐出口２２から吐出させる。
【００３１】
そして、図２に示すように、孔形成体３の孔形成部３２の側壁は、全体的にメッシュ状（格子状）に形成されている。つまり、筒状体である孔形成部３２の側壁には、複数の貫通孔３２ａが形成されている。但し、孔形成部３２の側壁は、必ずしもメッシュ状（格子状）であることに限定されず、複数の貫通孔３２ａが形成されていればよい。このとき、図２の例では、側壁がメッシュ状に形成されているため、複数の貫通孔３２ａの形状や大きさが均一に形成されているが、複数の貫通孔３２ａの形状や大きさは均一である必要はなく、それぞれが異なっていてもよい。なお、貫通孔の大きさは、例えば、３ｍｍ以下に設定するよい。
【００３２】
以上のようにボトルが構成されることで、容器本体１の内部空間には、側壁や上下端面からそれぞれ離れた位置に複数の貫通孔３２ａが配置されることとなる。このようなボトルの容器本体１に化粧液といった液体と気体とを収容させ、当該ボトルを振ることで、液体が孔形成体３である筒状体の内部や、側壁と孔形成部３２との間、さらには、孔形成部３２に形成された貫通孔３２ａ内、を流通することとなる。すると、液体と気体とは混合し、液体内で気体が気泡化することとなる。特に、液体内の気体は、貫通孔３２ａなどを流通する際の衝撃などにより圧壊されて、微小気泡化されることとなる。このとき、振る回数や速度を調整することで、生成される微小気泡は、粒径１０００ｎｍ以下のナノサイズとなる。
【００３３】
これにより、気体のナノバブルを多く含有する液体を生成直後に得ることができるため、かかる液体を利用することで、ナノバブルによる成長促進効果や抗酸化作用、殺菌作用など、人体などの生物に対して優れた効果を期待することができる。なお、本発明のボトルでは、いかなる物質を混合するために用いてもよい。例えば、洗浄剤、薬剤、飲料物といった液体と、酸素や水素などの気体と、を混合することに利用してもよい。
【００３４】
＜実施形態２＞
次に、本発明の第２の実施形態を、図３乃至図６を参照して説明する。図３は、ボトルの構成を示す図であり、図４乃至図６は、ボトルの内部に装備される孔形成体の構成を示す図である。
【００３５】
本実施形態におけるボトルは、図３に示すように、略円筒形状であり高さ方向に長く延びて形成された容器本体１０１と、その上端に配置される蓋体１０２と、を備えて構成されている。蓋体１０２は、本実施形態ではポンプにて形成されており、その上部を押下することで、容器本体１０１内に延びるチューブ１２１にて吸い上げた容器本体１０１内の液体を吐出することができる。なお、容器本体１０１内には、実施形態１と同様に、溶媒としての液体と、当該液体に微小気泡化されて溶存することとなる気体と、が収容されている。
【００３６】
また、本実施形態においても、容器本体１０１の側壁は、透明に形成されている。ただし、容器本体１０１の側壁は、半透明であってもよく、不透明であってもよい。そして、容器本体１０１の内部には、図３に示すように、孔形成体１０３が設けられている。
【００３７】
本実施形態における孔形成体１０３は、実施形態１と同様に、全体として断面が円形の筒状体にて形成されている。つまり、上端と下端は開口して内部が空洞であり、円筒形状に形成されている。但し、本実施形態では、孔形成体１０３は、外径が異なる複数の筒状体１３１，１３２，１３３が連結して構成されている。
【００３８】
具体的に、孔形成体１０３は、図４に示すように、まず、円筒状の長さ方向において上端側には、装着部１３１が形成されている。この装着部１３１は、容器本体１０１の開口部付近に装着されるが、当該開口部付近に装備されたポンプの一部の外周を覆うことが可能な内径を有する筒状に形成されている。
【００３９】
そして、装着部１３１は、図３に示すように、例えば、蓋体１０２を構成するポンプの下端に連結するよう、装着部１３１の周囲が容器本体１０１の開口部に装着される。これにより、孔形成体１０３の装着部１３１よりも下方に位置する構成は、容器本体１０１の開口部、つまり、当該開口部を覆うよう設けられた蓋体１０２の位置から下方側に離間して、容器本体１０１の内部空間に位置することとなる。
【００４０】
また、孔形成体１０３の装着部１３１よりも下方部分は、２種類の筒状体が交互に連結して構成されている。２種類の筒状体は、図４に示すように、外径が小さい連結部１３２と、当該連結部１３２よりも外径が大きい孔形成部１３３にて構成されており、１つずつ交互に、長さ方向に連結している。そして、すべての連結部１３２と孔形成部１３３は、長さ方向の両端部で相互に連通して連結しているため、孔形成体１０３全体は、一端から他端まで長さ方向に内部が連通していることとなる。なお、孔形成部１３３の両端部は、連結部１３２よりも外径が大きいため、連結部１３２と連通する箇所以外は塞がれている。
【００４１】
孔形成体１０３は、筒状体の内部が長さ方向に全体的に連通しているため、かかる内部空間に、容器本体１０１の開口部付近から容器本体１０１内に延びるチューブ１２１が挿通されている。なお、チューブ１２１の先端は、例えば、容器本体１０１の底面付近まで延びている。
【００４２】
孔形成体１０３のうち、上記孔形成部１３３の側壁には、複数の貫通孔１３３ａが形成されている。これら貫通孔１３３ａは、形状や大きさは均一でなく、それぞれが異なって形成されているが、均一に形成されていてもよい。例えば、貫通孔の大きさは、３ｍｍ以下に設定するとよい。
【００４３】
また、孔形成体１０３のうち、上記連結部１３２の側壁には、貫通孔は形成されていない。代わりに、連結部１３２の外周には、外表面からさらに突出する円環状の突出部１３２ａが形成されている。図４の例では、例えば、３つの円環状の突出部１３２ａが各連結部１３２の外周に設けられている。なお、連結部１３２の外周に設けられる突出部１３２ａは、例えば、棒状やピン状の突起物であってもよく、いかなる形状のものであってもよい。
【００４４】
以上のようにボトルが構成されることで、容器本体１０１の内部空間には、側壁や上下端面からそれぞれ離れた位置に複数の貫通孔１３３ａや突出部１３２ａ、さらには、連結部１３２と孔形成部１３３との間に形成された段差部、が配置されることとなる。このようなボトルの容器本体１０１に化粧液といった液体と気体とを収容させ、当該ボトルを振ることで、液体が貫通孔１３３ａを流通したり、突出部１３２ａや上述した段差部に衝突することとなる。すると、液体と気体とは混合し、液体内で気体が気泡化することとなる。特に、液体内の気体は、貫通孔１３３ａを流通する際、突出部１３２ａや段差部に衝突する際、の衝撃などにより圧壊されて、微小気泡化されることとなる。このとき、振る回数や速度を調整することで、生成される微小気泡は、粒径１０００ｎｍ以下のナノサイズとなる。
【００４５】
なお、上記では、孔形成体１０３は、装着部１３１の下方に、２種類の筒状体、つまり、径の小さい連結部１３２と径の大きい孔形成部１３３とを交互に４つずつ連結した場合を例示したが、連結する筒状体の種類や数はこれに限定されない。例えば、図５に示すように、１つの孔形成部１３３を図４の場合よりも長く形成して、装着部１３１の下方に、連結部１３２と孔形成部１３３とを交互に２つずつ連結してもよい。さらには、図６に示すように、１つの孔形成部１３３を図４の場合よりも短く形成して、装着部１３１の下方に、連結部１３２と孔形成部１３３とを交互に多数連結してもよい。なお、一部の連結部１３２には、突出部１３２ａを設けなくてもよい。
【００４６】
また、連結部１３２や孔形成部１３３の構成も、上述したものに限定されない。例えば、孔形成部１３３に形成する貫通孔１３３ａの形状や数は、上述したものに限定されない。また、連結部１３２の側壁に貫通孔を形成してもよい。
【００４７】
＜実施形態３＞
次に、本発明の第３の実施形態を、図７を参照して説明する。図７は、ボトルの構成を示す図である。
【００４８】
本実施形態におけるボトルは、上述した実施形態２と同様に、容器本体２０１と、その上端に配置されるポンプである蓋体２０２と、蓋体２０２から容器本体２０１内部に延びるチューブ２２１と、を備えている。なお、容器本体１０１内には、実施形態１と同様に、溶媒としての液体と、当該液体に微小気泡化されて溶存することとなる気体と、が収容されている。
【００４９】
そして、本実施形態におけるボトルは、容器本体２０１内部に、所定の幅と所定の長さに形成された帯状体２０３（孔形成体）を複数収容している。帯状体２０３は、例えば、プラスチックにて形成され、曲折可能な程度の強度を有する厚さに形成されている。そして、帯状体２０３には、厚さ方向に貫通する複数の貫通孔２０３ａが形成されている。なお、帯状体２０３に形成される貫通孔２０３ａは、形状や大きさは均一でなく、それぞれが異なって形成されているが、均一に形成されていてもよい。例えば、貫通孔の大きさは、３ｍｍ以下に設定するとよい。
【００５０】
上述したように、帯状体２０３を容器本体２０１の内部に収容しておくことで、当該帯状体２０３に形成された貫通孔２０３ａは、容器本体２０１の開口部、つまり、当該開口部を覆うよう設けられた蓋体２０２の位置から下方側に離間して、容器本体２０１の内部空間に位置することとなる。
【００５１】
以上のようにボトルが構成されることで、容器本体２０１の内部空間には、帯状体２０３自体や当該帯状体２０３に形成された貫通孔２０３ａが配置されることとなる。このようなボトルの容器本体２０１に化粧液といった液体と気体とを収容させ、当該ボトルを振ることで、液体が貫通孔２０３ａを流通したり、帯状体２０３に衝突することとなる。すると、液体と気体とは混合し、液体内で気体が気泡化することとなる。特に、液体内の気体は、貫通孔２０３ａを流通する際の衝撃などにより圧壊されて、微小気泡化されることとなる。このとき、振る回数や速度を調整することで、生成される微小気泡は、粒径１０００ｎｍ以下のナノサイズとなる。
【００５２】
なお、上述した帯状体２０３は、いかなる形状であってもよい。また、帯状体に限らず、貫通孔が形成された物体であれば、いかなる形状の物体を容器本体２０１内に収容してもよい。
【００５３】
＜実施形態４＞
次に、本発明の第４の実施形態を、図８を参照して説明する。図８は、ボトルの構成を示す図である。
【００５４】
本実施形態におけるボトルは、上述した実施形態１と同様に、容器本体３０１と、その上端に配置される蓋体３０２と、容器本体３０１内に孔形成部を配置する孔形成体３０３と、を備えている。
【００５５】
そして、本実施形態のボトルは、さらに、図８に示すように、容器本体３０１の側壁に、「目盛」と「回数情報」とが表示されている。具体的に、まず、容器本体３０１の側壁は、透明あるいは半透明に形成されており、容器本体３０１内に収容される液体の量を視認することができる。そして、容器本体３０１の側壁には、内側あるいは外側から、線表記からなる「目盛」と、数字表記からなる「回数情報」と、が描かれて表示されている。なお、目盛と回数情報とは、刻印やプリントによって描かれるが、いかなる方法で表示されていてもよい。
【００５６】
図８に示す例では、目盛は、容器本体１の高さ方向に対して垂直方向に延びる所定の長さの線の表記にて表され、容器本体１内に収容する液体の量の目安となる。そして、回数情報は、対応する目盛の横に数字を含む回数の表記にて表されており、対応する目盛まで液体を収容したときにボトルを振る回数を示している。例えば、図８では、一番下の目盛に対応して「５回」の回数情報が表示されており、かかる目盛まで液体を入れた場合には、５回ボトルを振ることが望ましいことを示している。また、図８において下から二番目の目盛に対応して「８回」の回数情報が表示されており、かかる目盛まで液体を入れた場合には、８回ボトルを振ることが望ましいことを示している。なお、目盛と回数情報とは、ボトルの構造によって異なり、予め試験によってナノバブルが多く発生することが判明している液体の量と振る回数との情報に基づいて設定され、ボトルに表示される。
【００５７】
以上のようにボトルが構成されることで、利用者は目盛に従って容器本体１に液体を収容し、回数情報に従ってボトルを振るだけで、容易かつ迅速に、ナノバブルを多く含有した液体を得ることができる。なお、上述した目盛と回数情報は、図８に開示した構造のボトルに表示されることに限定されず、実施形態２，３のボトルやさらに別の構造のボトルに表示されてもよい。
【００５８】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【００５９】
なお、本発明は、日本国にて２０１８年４月２０日に特許出願された特願２０１８−０８１２６６の特許出願に基づく優先権主張の利益を享受するものであり、当該特許出願に記載された内容は、全て本明細書に含まれるものとする。
【符号の説明】
【００６０】
１，１０１，２０１，３０１  容器本体
２１，２２，１０２，２０２，３０２  蓋体
３，１０３，３０３  孔形成体
３１，１３１  装着部
３２，１３３  孔形成部
３２ａ，１３３ａ，２０３ａ  貫通孔
１３２  連結部
１３２ａ  突出部
２０３  帯状体
【図１】
0006916959.tif 000002
【図２】
0006916959.tif 000003
【図３】
0006916959.tif 000004
【図４】
0006916959.tif 000005
【図５】
0006916959.tif 000006
【図６】
0006916959.tif 000007
【図７】
0006916959.tif 000008
【図８】
0006916959.tif 000009